(57)【特許請求の範囲】
【請求項１】
前面パネルおよび後面パネルと、
前記前面パネルの第１側を前記後面パネル第１側に結合する第１ガセットと、
前記前面パネルの第２側を前記後面パネル第２側に結合する第２ガセットと、
前記前面パネルおよび前記後面パネル、並びに、前記第１ガセットおよび前記第２ガセットの縁により形成される開口と、
前記開口沿いに延設され、前記前面パネルおよび前記後面パネル、並びに、前記第１ガセットおよび前記第２ガセットの内側において前記開口の下方にシールされたジッパーとを具備し、
前記ジッパーは、異なる高さに配置された複数列の係合要素を備えたウェブを含んでおり、前記ガセットが内側に折りたたまれた形態では、前記ウェブにおける前面パネル上の部分である第１部分および前記ウェブにおける後面パネル上の部分である第２部分は、互いに係合すると共に、前記第１と第２のガセット上の対向するウェブ部分の係合要素と係合し、
前記ガセットが外側に折りたたまれた形態では、前記ウェブにおける前面パネル上の部分である第１部分および前記ウェブにおける後面パネル上の部分である第２部分が互いに係合すると共に、前記第１ガセットおよび第２ガセットの前記前面パネル上にある前記ウェブの部分の係合要素が、第１ガセットおよび第２ガセットの前記後面パネル上にある前記ウェブの部分の係合要素において前記内側に折りたたまれた形態の場合とは異なる高さの列の係合要素と係合するようにした容器。
【請求項２】
前記前面パネルおよび前記後面パネル、並びに、前記第１ガセットおよび前記第２ガセットが１枚のウェブから形成される請求項１に記載の容器。
【請求項３】
前記前面パネルおよび前記後面パネル、並びに、前記第１ガセットおよび前記第２ガセットがそれぞれ別のウェブシートから形成される請求項１に記載の容器。
【請求項４】
前記第１ガセットおよび前記第２ガセットが前記前面パネルおよび前記後面パネルと結合する位置において、前記ジッパーにノッチが形成されている請求項１に記載の容器。
【請求項５】
前記前面パネル、前記第１ガセット、前記後面パネルおよび前記第２ガセットが、前記１枚のウェブに形成された一連の折曲げ部によって区分され、更に前記第１ガセットおよび前記第２ガセットがその中に中心折曲げ部を含むことを特徴とする請求項１の容器。
【請求項６】
前記１枚のウェブの側縁部が接合される請求項１に記載の容器。
【請求項７】
前記１枚のウェブの側縁部が前記後面パネルに沿ったフィンシール部として接合される請求項１に記載の容器。
【請求項８】
前記ジッパーが、前記開口の内周全体に沿って延設された一枚のウェブから成る請求項１に記載の容器。
【請求項９】
前記複数の係合要素が少なくとも３つの係合要素を含む請求項８に記載の容器。
【請求項１０】
前記複数の係合要素が少なくとも６つの係合要素を含む請求項８に記載の容器。
【請求項１１】
前記ジッパーの両端部が互いに隣接する請求項８に記載の容器。
【発明の詳細な説明】
【技術分野】
【０００１】
本発明は、再閉可能なジッパー式ガセット付ポーチに関し、特にそのフィルム壁内にマルチトラック可変配向ジッパーが配置されたものに関する。このマルチトラックジッパーの裏側からガセットおよび袋壁を押し合わせると、ジッパートラックがガセットおよび袋壁の両者の領域で連結する。
【背景技術】
【０００２】
体積容量の大きな自立式パッケージを作り出すために、ガセット付パッケージを用いることが従来より良く知られている。これらのパッケージは多くの点で本来の目的を達成するのに満足なものではあるが、これらの典型では、パッケージの内容物を出し入れする際、前面パネルのみが開くようにガセットがシールされている。小型のガセット付袋はこの点で特に問題がある。
【発明の開示】
【発明が解決しようとする課題】
【０００３】
従って本発明の目的は、製品を中から取り出す際の開口が大きなガセット付容器を提供することにある。
【０００４】
また従って本発明の目的は、上述した目的を達成するガセット付容器を、比較的簡単で安価な製造プロセスにより提供することにある。
【課題を解決するための手段】
【０００５】
上述の目的を達成するために、本発明によれば、前面パネルおよび後面パネルと、
前記前面パネルの第１側を前記後面パネル第１側に結合する第１ガセットと、
前記前面パネルの第２側を前記後面パネル第２側に結合する第２ガセットと、
前記前面パネルおよび前記後面パネル、並びに、前記第１ガセットおよび前記第２ガセットの縁により形成される開口と、
前記開口沿いに延設され、前記前面パネルおよび前記後面パネル、並びに、前記第１ガセットおよび前記第２ガセットの内側において前記開口の下方にシールされたジッパーとを具備し、
前記ジッパーは、異なる高さに配置された複数列の係合要素を備えたウェブを含んでおり、前記ガセットが内側に折りたたまれた形態では、前記ウェブにおける前面パネル上の部分である第１部分および前記ウェブにおける後面パネル上の部分である第２部分は、互いに係合すると共に、前記第１と第２のガセット上の対向するウェブ部分の係合要素と係合し、
前記ガセットが外側に折りたたまれた形態では、前記ウェブにおける前面パネル上の部分である第１部分および前記ウェブにおける後面パネル上の部分である第２部分が互いに係合すると共に、前記第１ガセットおよび第２ガセットの前記前面パネル上にある前記ウェブの部分の係合要素が、第１ガセットおよび第２ガセットの前記後面パネル上にある前記ウェブの部分の係合要素において前記内側に折りたたまれた形態の場合とは異なる高さの列の係合要素と係合するようにした容器が提供される。
【０００６】
一枚のウェブより成る多配向型ジッパーを使用すると、容器の製造コストが低減する。
【０００７】
このような容器を用いることによって、パッケージの内容物の出し入れが容易になる。またこのような容器は、非限定的に、クッキー、スナック菓子やペットフードなど多くの市場に適用することができる。
【発明を実施するための最良の形態】
【０００８】
本発明の他の目的と利点は、以下の記述および添付図面から明らかになるであろう。
【０００９】
ここで図面を詳細に参照するが、各図を通じて同一の符号は同一の要素を表す。図１は本発明の再閉可能なガセット付袋１０の前面図、図３は本発明の再閉可能なガセット付袋１０の上部断面図、更に図９は本発明の再閉可能なガセット付袋１０の斜視図である。
【００１０】
ガセット付袋１０の外周部は、典型的には一枚のウェブシート１１から形成されている。一枚のウェブシート１１は、前面パネル１２および後面パネル１４、並びに、パネル１２とパネル１４との間に形成された左右のガセット１８、２０を含むように構成されている。パネル１２、１４は共に底シール部１６に沿って接合されている。（底シール部１６はパネル１２とパネル１４とを直接接合したものでもよく、また特に自立式の袋の場合にはこれらの間に別のガセットを配置してもよい）。左右のガセット１８、２０は頂部２２、２４をもってＶ字型となっている。
【００１１】
頂部２２、２４は一枚のウェブシート１１の折曲げ部または折り目として形成されている。同様に、折曲げ部または折り目２６、２８、３０、３２が、図３に示されるように、一枚のウェブシート１１に形成されている。ウェブシート１１の側縁部３５、３７はフィンシール部２３によって接合され、該フィンシール部２３は後面パネル１４の中央部から突出している。
【００１２】
代替的な実施形態では、折り目２６、２８、３０、３２に代わってパネル１２、１４およびガセット１８、２０が４つの別のシートから形成され、それらの間にシールが形成される。更に別の代替的な実施形態では、フィルムチューブが用いられ、その中にガセット１８、２０が形成される。
【００１３】
ガセット付袋１０が充填された際、前面パネル１２と後面パネル１４との間の容積がガセット１８、２０の作用によって増大するのは勿論のことである。更にガセット１８、２０は、前面パネル１２および後面パネル１４の各上縁の間に形成される開口３４の大きさを増大させる。
【００１４】
ウェブシート１１外周部の（従い、前面パネル１２、後面パネル１４およびガセット１８、２０を含む）内側において、開口３４を形成するシート１１の上縁から下側の近傍に一枚のウェブより成る多配向型ジッパー４０がシールされる。この一枚のウェブより成る多配向型ジッパー４０は開口３４の全内周に沿って延び、図３、４に示すように、ジッパー４０の両端部がフィンシール部２３の内側で隣接するようになる。また、ジッパー４０によって形成される密封性ほどの信頼性を要求されない袋（例えばドッグフードなど大きな乾燥した製品など）の場合、製造を容易にするため、ジッパー４０をフィンシール部２３の中まで延ばし、そこで押し潰すようにしてもよい。
【００１５】
更に図３に示すように、ノッチ２７、２９、３１、３３を一枚のウェブより成る多配向型ジッパー４０の各折り目２６、２８、３０、３２の位置に切り込み、ジッパー４０の折畳みを容易にすることもできる。
【００１６】
図２は、折畳まれた一枚のウェブより成る多配向型ジッパー４０の一断面図を示す。この断面は２回（すなわち、前面パネル１２上の第１部分および後面パネル１４上の第２部分に）現れる。このような一枚のウェブより成る多配向型ジッパー４０は、複数の係合要素４２（少なくとも２列、典型的には３列から５列、場合によっては更に多く、例えば図２中のウェブの各部に示されるように６列の係合要素）を有しており、これにより一枚のウェブより成る多配向型ジッパー４０の第１部分がその第２部分に配向し係合する。この配向・係合は、配向できる範囲内において複数ある様々な形態の１つをとる。つまり配向を変えた場合にも、ジッパー４０の第１部分からの異なる係合要素が、ジッパー４０の反対側にある第２部分からの特定の係合要素と係合し、その結果、信頼性の高い係合状態が得られる。本形態では、前面パネル１２上にある一枚のウェブより成る多配向型ジッパー４０の第１部分が、後面パネル１４上にある一枚のウェブより成る多配向型ジッパー４０の部分と係合すると同時に、図３、図５および図６に示すようなガセットが内側に折りたたまれた形態では、ガセット１８、２０の各対向部分とも係合する。また図７、８に示すようにガセット１８、２０が外側に折りたたまれた形態では、ガセット１８、２０の前面部分上にあるジッパー４０の部分が、ガセット１８、２０の後面部分上にあるジッパー４０の部分と係合する。
【００１７】
このようなジッパー４０の多配向型能力により、使用者は、最初にガセット付袋１０を開けた後ジッパー４０を容易に再係合させることができる。一枚のウェブより成る多配向型ジッパー４０は（フランジの無い）ストリングジッパーでもよいが、１つまたは２つのフランジを付けることもできる。
【００１８】
図３は、ガセット付袋１０の全内周を囲む接触域、およびガセット付袋１０を閉じるのに必要な単純な力を示す。図５は、ガセット付袋１０が閉じられた際の接触域を表す。また図６に示すように、消費者または使用者が前面パネル１２と後面パネル１４とを引っぱることで力Ｘを作用させると、ジッパー４０が、ガセット付袋１０の全内周に沿って解放され、これにより力Ｙが作用してガセットが解放され、図４に示す最大開口状態が達成される。
【００１９】
ガセット付袋１０の典型的な製法においては、ジッパー４０を一枚のウェブシート１１の横方向に沿って貼り付ける。その後、このウェブシート１１を成形環（図示せず）上で引き、各折曲げ部２０、２２、２６、２８、３０、３２を形成し、これによりガセット１８、２０を形成する。そしてウェブシート１１の側縁部を合わせ、フィンシール部２３を形成する。底シール部１６を形成し、出来上がった袋１０を後に続く袋から分離する。あるいは、ガセット１８、２０を形成した後からジッパー４０を貼り付ける場合、典型的にはジッパー４０貼り付けの間、ガセット１８、２０を開いた状態、または外側に向けて折った位置にする必要がある。
【００２０】
このようにして前述したいくつかの目標および利点は最も効果的に達成される。本発明の好適な実施形態の開示し詳細に記述したが、本発明はこれらにより決して限定されるものではなく、その範囲は添付の請求範囲によって定義されるものであることと理解されよう。
【図面の簡単な説明】
【００２１】
【図１】本発明の再閉可能なガセット付袋の前面図である。
【図２】図１の２−２面に沿った断面図で、一枚のウェブより成る多配向型ジッパーを示す。
【図３】図１の３−３面に沿った断面図で、本発明の再閉可能なガセット付袋の部分的に開いた開口の内周に沿って延びる一枚のウェブより成る多配向型ジッパーを示す。
【図４】図１の３−３面に沿った断面図で、本発明の再閉可能なガセット付袋が完全に開いた状態を示す。
【図５】図１の３−３面に沿った断面図で、本発明の再閉可能なガセット付袋がガセットを内位置にして閉じた状態を示す。
【図６】図１の３−３面に沿った断面図で、本発明の再閉可能なガセット付袋がガセットを内位置にして開かれる際の力を示す。
【図７】図１の３−３面に沿った断面図で、本発明の再閉可能なガセット付袋がガセットを外位置にして閉じた状態を示す。
【図８】図１の３−３面に沿った断面図で、本発明の再閉可能なガセット付袋がガセットを外位置にして開かれる際の力を示す。
【図９】本発明の再閉可能なガセット付袋の斜視図を示す。
【符号の説明】
【００２２】
１０    ガセット付袋
１１    一枚のウェブシート
１２    前面パネル
１４    後面パネル
１６    底シール部
１８    ガセット
２０    ガセット
２２    頂部
２３ フィンシール部
２４    頂部
２６    折り目
２８    折り目
３０    折り目
３２    折り目
３５    側縁部
３７    側縁部
４０    ジッパー
【図１】
0005519272.tif 000002
【図２】
0005519272.tif 000003
【図３】
0005519272.tif 000004
【図４】
0005519272.tif 000005
【図５】
0005519272.tif 000006
【図６】
0005519272.tif 000007
【図７】
0005519272.tif 000008
【図８】
0005519272.tif 000009
【図９】
0005519272.tif 000010